(57)【要約】【課題】ソレノイドＳＬＩとソレノイドＳＬ２の作動判定を同一の検査装置を使用して短時間に行うことができる作動判定方法を提供する。【解決手段】ＳＬＩコイルに通電してソレノイドＳＬＩの磁気回路に磁束が発生すると、ソレノイドＳＬＩの磁気回路にも磁束が流れる。つまり、ＳＬ２コイル１５に磁束が鎖交する。ソレノイドＳＬＩの可動鉄心２０が固定鉄心１７に吸着すると、ＳＬ２コイル１５に鎖交する磁束が急激に増加するため、その磁束の変化に比例してＳＬ２コイル１５にパルス的な誘起電圧が発生する。このＳＬ２コイル１５に誘起される電圧を検出ことで、ソレノイドＳＬＩの作動を判定できる。同様に、ＳＬ２コイル１５に通電してソレノイドＳＬ２の磁気回路に磁束を発生させ、ソレノイドＳＬ２の可動鉄心２６が固定鉄心１７に吸着した時に、ＳＬ１コイル１４に発生する誘起電圧を検出することで、ソレノイドＳＬ２の作動を判定できる。【選択図】図４
2013002381.tif 000002
【特許請求の範囲】
【請求項１】
第１のコイルに通電して形成される電磁石の吸引力を利用してスタータのピニオンをエンジンのリングギヤ側へ押し出すピニオン押出用ソレノイドと、
第２のコイルに通電して形成される電磁石のオン／オフ動作に連動してモータに流れる電流を断続するための接点を開閉するモータ通電用ソレノイドとを備え、
前記ピニオン押出用ソレノイドの磁気回路と前記モータ通電用ソレノイドの磁気回路とを一部共有して構成されるスタータ用の電磁スイッチ装置において、
前記第１のコイルに通電して前記第２のコイルに鎖交する磁束を発生させ、その鎖交する磁束の増加によって前記第２のコイルに誘起される電圧を検出することで前記ピニオン押出用ソレノイドの作動を判定し、
前記第２のコイルに通電して前記第１のコイルに鎖交する磁束を発生させ、その鎖交する磁束の増加によって前記第１のコイルに誘起される電圧を検出することで前記モータ通電用ソレノイドの作動を判定することを特徴とする電磁スイッチ装置の作動判定方法。
【請求項２】
第１のコイルに通電して形成される電磁石の吸引力を利用してスタータのピニオンをエンジンのリングギヤ側へ押し出すピニオン押出用ソレノイドと、
第２のコイルに通電して形成される電磁石のオン／オフ動作に連動してモータに流れる電流を断続するための接点を開閉するモータ通電用ソレノイドとを備え、
前記ピニオン押出用ソレノイドと前記モータ通電用ソレノイドを軸方向に直列に配置して、両ソレノイドの磁気回路を兼ねる共通のソレノイドケース内に収容し、且つ、前記第１のコイルと前記第２のコイルとの間に磁気回路の一部を共有する固定鉄心を配置して構成されるスタータ用の電磁スイッチ装置において、
前記第１のコイルに通電して前記第２のコイルに鎖交する磁束を発生させ、その鎖交する磁束の増加によって前記第２のコイルに誘起される電圧を検出することで前記ピニオン押出用ソレノイドの作動を判定し、
前記第２のコイルに通電して前記第１のコイルに鎖交する磁束を発生させ、その鎖交する磁束の増加によって前記第１のコイルに誘起される電圧を検出することで前記モータ通電用ソレノイドの作動を判定することを特徴とする電磁スイッチ装置の作動判定方法。
【請求項３】
請求項１または２に記載した電磁スイッチ装置の作動判定方法において、
前記ピニオン押出用ソレノイドおよび前記モータ通電用ソレノイドの作動判定を行う際に、前記第１のコイルおよび前記第２のコイルに印加する電圧または電流を徐々に大きくすることを特徴とする電磁スイッチ装置の作動判定方法。
【請求項４】
請求項１〜３に記載した何れか一つの電磁スイッチ装置の作動判定方法において、
前記ピニオン押出用ソレノイドおよび前記モータ通電用ソレノイドの作動判定を行う際に、前記第２のコイルおよび前記第１のコイルに誘起される電圧を増幅して検出することを特徴とする電磁スイッチ装置の作動判定方法。
【請求項５】
請求項１〜４に記載した何れか一つの電磁スイッチ装置の作動判定方法において、
前記第２のコイルおよび前記第１のコイルに誘起される電圧をハイパスフィルタに通して検出することを特徴とする電磁スイッチ装置の作動判定方法。
【発明の詳細な説明】
【技術分野】
【０００１】
本発明は、スタータのピニオンをエンジンのリングギヤ側へ押し出すピニオン押出用ソレノイドと、モータに流れる電流を断続するための接点を開閉するモータ通電用ソレノイドとを備える電磁スイッチ装置の作動判定方法に関する。
【背景技術】
【０００２】
近年、地球温暖化対策におけるＣＯ２削減策の一つとして、自動車のアイドリングストップが重要な手段とされている。このアイドリングストップは、例えば、交差点での信号停止や渋滞等により自動車が一時停止した際に、エンジンへの燃料噴射を停止してエンジンを自動的に停止させるシステムであり、燃費向上に効果がある。
ところで、エンジンの始動を行う従来のスタータは、基本的にエンジンのリングギヤが停止した状態でないとピニオンをリングギヤに噛み合わせることができない。このため、例えば、交差点で赤信号によりアイドリングストップが実施された時に、エンジンの回転が完全に停止する前、つまり、エンジンが惰力で回転している間に青信号に変わった場合でも、直ちにエンジンを再始動させることができなない。
【０００３】
これに対し、ピニオンをリングギヤ側へ押し出す動作と、モータに流れる電流を断続するための接点を開閉する動作とを別々のソレノイド（以下、ピニオン押出用ソレノイド、モータ通電用ソレノイドと呼ぶ）によって行う電磁スイッチ装置を搭載したスタータが公知である（特許文献１参照）。
上記のスタータによれば、ピニオン押出用ソレノイドの動作と、モータ通電用ソレノイドの動作をＥＣＵ（電子制御装置）によって独立に制御できるので、エンジンが惰力で回転している間に再始動要求が生じた場合は、二つのソレノイドの動作をＥＣＵにより適宜に制御することで、エンジンの回転停止を待つことなく、ピニオンをリングギヤに噛み合わせることが可能である。これにより、再始動要求の発生に応答して短時間にエンジンを再始動できる。
【先行技術文献】
【特許文献】
【０００４】
【特許文献１】特開２００９−１９１８４３号公報
【発明の概要】
【発明が解決しようとする課題】
【０００５】
ところで、従来の一般的なスタータに搭載される電磁スイッチ、すなわち、ピニオンの押し出しと、モータへの通電とを一つのソレノイドで行う電磁スイッチでは、コイルへの通電によって電磁石が形成され、その電磁石に吸引されて移動する可動鉄心が固定鉄心に当接した時の電圧を作動電圧と定義している。但し、コイルに印加する電圧を徐々に上昇していった場合、可動鉄心が固定鉄心に当接するタイミングと、接点が閉成するタイミングとの時間差は僅かであるため、接点が閉成したタイミングでの電圧を作動電圧と称することが一般的である。よって、従来の電磁スイッチの作動は、接点の閉成によって判定できる。
【０００６】
しかし、特許文献１に記載された二つのソレノイドを備える電磁スイッチ装置では、二つのソレノイドの作動を同じ方法で判定することができない。つまり、モータ通電用ソレノイドの作動は、従来の電磁スイッチと同様に、接点の閉成によって判定できるが、接点を有していないピニオン押出用ソレノイドの作動は、接点の閉成によって判定することはできない。このため、別の判定方法が必要となるが、二つのソレノイドの作動判定を別々の手段で行うことになると、作動判定を実施するための検査装置および治具類が複雑になり、且つ、判定時間も多く掛かるため、実用的とは言えない。
本発明は、上記事情に基づいて成されたもので、その目的は、ピニオン押出用ソレノイドとモータ通電用ソレノイドの作動判定を同一の検査装置を使用して短時間に行うことができる作動判定方法を提供することにある。
【課題を解決するための手段】
【０００７】
（請求項１の発明）
本発明は、第１のコイルに通電して形成される電磁石の吸引力を利用してスタータのピニオンをエンジンのリングギヤ側へ押し出すピニオン押出用ソレノイドと、第２のコイルに通電して形成される電磁石のオン／オフ動作に連動してモータに流れる電流を断続するための接点を開閉するモータ通電用ソレノイドとを備え、ピニオン押出用ソレノイドの磁気回路とモータ通電用ソレノイドの磁気回路とを一部共有して構成されるスタータ用の電磁スイッチ装置において、第１のコイルに通電して第２のコイルに鎖交する磁束を発生させ、その鎖交する磁束の増加によって第２のコイルに誘起される電圧を検出することでピニオン押出用ソレノイドの作動を判定し、第２のコイルに通電して第１のコイルに鎖交する磁束を発生させ、その鎖交する磁束の増加によって第１のコイルに誘起される電圧を検出することでモータ通電用ソレノイドの作動を判定することを特徴とする。
【０００８】
本発明の電磁スイッチ装置は、ピニオン押出用ソレノイドとモータ通電用ソレノイドとが、互いの磁気回路の一部を共有しているので、例えば、第１のコイルに通電すると、第１のコイルに発生する磁束の一部が第２のコイルに鎖交する。言い換えると、第１のコイルに発生する磁束の一部がモータ通電用ソレノイドの磁気回路にも流れる。これにより、第１のコイルに通電してピニオン押出用ソレノイドが作動（磁化された固定鉄心に可動鉄心が吸着）すると、第２のコイルに鎖交する磁束量が急激に増加するため、その磁束量の変化に比例した電圧が第２のコイルに誘起される。よって、第２のコイルに誘起される電圧を検出することでピニオン押出用ソレノイドの作動判定を行うことができる。
【０００９】
同様に、第２のコイルに通電してモータ通電用ソレノイドが作動（磁化された固定鉄心に可動鉄心が吸着）すると、第１のコイルに鎖交する磁束量が急激に増加して第１のコイルに電圧が誘起されるので、その第１のコイルに誘起される電圧を検出することでモータ通電用ソレノイドの作動判定を行うことができる。
上記のように、ピニオン押出用ソレノイドとモータ通電用ソレノイドの作動判定を同様の方法（相手側コイルに誘起される電圧を検出する方法）で行うので、作動判定に使用する検査装置を共通化できる。その結果、ピニオン押出用ソレノイドとモータ通電用ソレノイドの作動判定を異なる方法で行う場合と比較して、検査装置の簡素化および検査時間の短縮が可能となる。
【００１０】
（請求項２の発明）
本発明は、第１のコイルに通電して形成される電磁石の吸引力を利用してスタータのピニオンをエンジンのリングギヤ側へ押し出すピニオン押出用ソレノイドと、第２のコイルに通電して形成される電磁石のオン／オフ動作に連動してモータに流れる電流を断続するための接点を開閉するモータ通電用ソレノイドとを備え、ピニオン押出用ソレノイドとモータ通電用ソレノイドを軸方向に直列に配置して、磁気回路を兼ねる共通のソレノイドケース内に収容し、且つ、第１のコイルと第２のコイルとの間に磁気回路の一部を共有する固定鉄心を配置して構成されるスタータ用の電磁スイッチ装置において、第１のコイルに通電して第２のコイルに鎖交する磁束を発生させ、その鎖交する磁束の増加によって第２のコイルに誘起される電圧を検出することでピニオン押出用ソレノイドの作動を判定し、第２のコイルに通電して第１のコイルに鎖交する磁束を発生させ、その鎖交する磁束の増加によって第１のコイルに誘起される電圧を検出することでモータ通電用ソレノイドの作動を判定することを特徴とする。
【００１１】
本発明の電磁スイッチ装置は、ピニオン押出用ソレノイドとモータ通電用ソレノイドとが、互いの磁気回路の一部を共有しているので、例えば、第１のコイルに通電すると、第１のコイルに発生する磁束の一部が第２のコイルに鎖交する。言い換えると、第１のコイルに発生する磁束の一部がモータ通電用ソレノイドの磁気回路にも流れる。特に、本発明の電磁スイッチ装置は、ピニオン押出用ソレノイドとモータ通電用ソレノイドを軸方向に直列に配置して、両ソレノイドの磁気回路を兼ねる共通のソレノイドケース内に収容し、且つ、第１のコイルと第２のコイルとの間に磁気回路の一部を共有する固定鉄心を配置しているので、第１のコイルに通電して発生した磁束の一部がモータ通電用ソレノイドの磁気回路に流れやすくなる。
【００１２】
これにより、第１のコイルに通電してピニオン押出用ソレノイドが作動（磁化された固定鉄心に可動鉄心が吸着）すると、モータ通電用ソレノイドの磁気回路に流れる磁束量が急激に増加する。つまり、第２のコイルに鎖交する磁束量が急激に増加するため、その磁束量の変化に比例した電圧が第２のコイルに誘起される。よって、第２のコイルに誘起される電圧を検出することでピニオン押出用ソレノイドの作動判定を行うことができる。同様に、第２のコイルに通電してモータ通電用ソレノイドが作動（磁化された固定鉄心に可動鉄心が吸着）すると、第１のコイルに鎖交する磁束量が急激に増加して第１のコイルに電圧が誘起されるので、その第１のコイルに誘起される電圧を検出することでモータ通電用ソレノイドの作動判定を行うことができる。
上記のように、ピニオン押出用ソレノイドとモータ通電用ソレノイドの作動判定を同様の方法（相手側コイルに誘起される電圧を検出する方法）で行うので、作動判定に使用する検査装置を共通化できる。その結果、ピニオン押出用ソレノイドとモータ通電用ソレノイドの作動判定を異なる方法で行う場合と比較して、検査装置の簡素化および検査時間の短縮が可能となる。
【００１３】
（請求項３の発明）
請求項１または２に記載した電磁スイッチ装置の作動判定方法において、ピニオン押出用ソレノイドおよびモータ通電用ソレノイドの作動判定を行う際に、第１のコイルおよび第２のコイルに印加する電圧または電流を徐々に大きくすることを特徴とする。
例えば、ピニオン押出用ソレノイドの作動判定を行う場合に、第１のコイルに印加する電圧または電流を徐々に大きくしていくことで、可動鉄心が固定鉄心に当接する瞬間の作動電圧を精度良く検出できる。同様に、モータ通電用ソレノイドの作動判定を行う場合に、第２のコイルに印加する電圧または電流を徐々に大きくしていくことで、可動鉄心が固定鉄心に当接する瞬間の作動電圧を精度良く検出できる。
【００１４】
（請求項４の発明）
請求項１〜３に記載した何れか一つの電磁スイッチ装置の作動判定方法において、ピニオン押出用ソレノイドおよびモータ通電用ソレノイドの作動判定を行う際に、第２のコイルおよび第１のコイルに誘起される電圧を増幅して検出することを特徴とする。
作動判定を行うソレノイドの可動鉄心が固定鉄心に当接した時に、相手側コイルに誘起される電圧は、相手側コイルのサイズ（巻き数）および作動時の電流値により異なるため、場合によっては、相手側コイルに誘起される電圧が微小となる場合もある。このため、相手側コイルに誘起される電圧を増幅することで、Ｓ／Ｎ比を高め、検出精度を上げる手段が有効となる。
【００１５】
（請求項５の発明）
請求項１〜４に記載した何れか一つの電磁スイッチ装置の作動判定方法において、第２のコイルおよび第１のコイルに誘起される電圧をハイパスフィルタに通して検出することを特徴とする。
コイルに鎖交する磁束の瞬間的な変化は、作動判定を行うソレノイドの可動鉄心が固定鉄心に当接した瞬間に生じる。このため、相手側コイルに電圧が誘起される時間は短く、パルス的な電圧であることが多い。よって、例えば、略１ｋＨｚ以上の周波数領域を通すハイパスフィルタを用いることで、電源や他設備等の低周波ノイズをカットすることにより、相手側コイルに誘起される電圧を高精度に検出することが可能となる。
【図面の簡単な説明】
【００１６】
【図１】電磁スイッチ装置の断面図である。
【図２】スタータの断面図である。
【図３】スタータの電気回路図である。
【図４】ＳＬ１コイルの通電時に形成される磁気回路及び検査装置の模式図である。
【図５】ソレノイドＳＬ１の作動判定の手順を示すフローチャートである。
【図６】（ａ）ＳＬ１コイルの印加電圧を示す図、（ｂ）ＳＬ２コイルに発生する誘起電圧を示す図である。
【図７】パルス的な誘起電圧の波形図である。
【発明を実施するための形態】
【００１７】
本発明を実施するための最良の形態を以下の実施例により詳細に説明する。
【実施例】
【００１８】
（実施例１）
実施例１に示す電磁スイッチ装置１は、エンジン始動用のスタータ２に搭載される。
スタータ２は、図２に示す様に、電機子３ａ（図３参照）に回転力を発生するモータ３と、このモータ３の回転速度を減速して駆動トルクを増幅する減速機（図示せず）と、この減速機に連結される出力軸４と、この出力軸４の外周にクラッチ５と一体に配置されるピニオン６と、本発明に係る電磁スイッチ装置１等より構成される。
電磁スイッチ装置１は、図１に示す様に、一端側（図示左端側）に環状の底面７ａを有し、他端側が開口する有底円筒状のソレノイドケース７と、このソレノイドケース７の内部に収容されるソレノイドユニット（後述する）と、ソレノイドケース７の他端側に開口する開口部を閉塞してソレノイドケース７に固定される樹脂カバー８と、モータ３に流れる電流を断続するためのメイン接点（後述する）等より構成される。
【００１９】
ソレノイドケース７は、ソレノイドユニットの磁気回路を兼ねて形成され、２本のスタッドボルト（図示せず）によってスタータハウジング９（図２参照）に固定される。このソレノイドケース７は、底面７ａを有する一端から開口部を形成する他端まで、外径が同一寸法であり、且つ、軸方向の一端側より他端側の方が内径が大きく、肉厚が薄く形成されている。つまり、ソレノイドケース７の内周面には、図１に示す様に、軸方向の一端側と他端側との間に段差７ｂが設けられている。
ソレノイドユニットは、シフトレバー１０（図２参照）を介してピニオン６をクラッチ５と一体に反モータ方向（図２の左方向）へ移動させるピニオン押出用ソレノイド（以下、ソレノイドＳＬ１と呼ぶ）と、メイン接点を開閉するモータ通電用ソレノイド（以下、ソレノイドＳＬ２と呼ぶ）とから成り、両ソレノイドＳＬ１、ＳＬ２が軸方向（図１の左右方向）に直列に配置されている。
【００２０】
ソレノイドＳＬ１、ＳＬ２は、それぞれ、図３に示す様に、駆動リレー１１、１２を介してバッテリ１３に接続されるコイル（ＳＬ１コイル１４、ＳＬ２コイル１５と呼ぶ）を有している。
駆動リレー１１、１２は、ＥＣＵ１６（図３参照）よりオン信号を受けることで閉成し、オフ信号を受けることで開成する。
ＥＣＵ１６は、アイドリングストップ制御用の電子制御装置であり、エンジンの運転状態を制御するエンジンＥＣＵ（図示せず）から、エンジン回転信号、ミッションレバーの位置信号、ブレーキスイッチのオン／オフ信号等を入力し、これらの情報を基に、エンジンを停止させるための停止条件が成立したと判断すると、エンジンＥＣＵにエンジン停止信号を送信する。また、アイドリングストップが実施された後、運転者が車両を発進させようとする操作（例えばブレーキの解除操作、ドライブレンジ等へのシフト操作等）を行うと、再始動要求が発生したと判断して、再始動要求の信号をエンジンＥＣＵへ送信すると共に、駆動リレー１１、１２にオン信号を出力する。
【００２１】
ＳＬ１コイル１４とＳＬ２コイル１５との間には、両ソレノイドＳＬ１、ＳＬ２の磁気回路の一部を共有する固定鉄心１７が配置される。
固定鉄心１７は、図１に示す様に、円環状の鉄心プレート１７ａと鉄心コア部１７ｂとに分割して構成され、例えば、鉄心プレート１７ａの内周に鉄心コア部１７ｂを圧入嵌合して一体に固定されている。この固定鉄心１７は、鉄心プレート１７ａの板厚方向の一方の端面がソレノイドケース７の内周に設けられた段差７ｂに当接してソレノイドケース７の底面方向に対し位置決めされる。
ＳＬ１コイル１４は、巻枠である樹脂製のボビン１８に巻回され、鉄心プレート１７ａに対してソレノイドケース７内の一端側（底面側）に収容され、ボビン１８の一方のフランジ板とソレノイドケース７の底面７ａとの間に配置される弾性体１９（例えば、ゴム、皿ばね等）の弾力を受けて、ボビン１８の他方のフランジ板が鉄心プレート１７ａに押し付けられることにより軸方向の移動が規制される。
【００２２】
ＳＬ１コイル１４の内周には、鉄心コア部１７ｂの一方の吸着面（図１の左端面）に対向して軸心方向に可動する可動鉄心２０が配置される。
可動鉄心２０は、ＳＬ１コイル１４への通電によって固定鉄心１７が磁化されると、鉄心コア部１７ｂとの間に配設されるリターンスプリング２１の反力に抗して、鉄心コア部１７ｂの一方の吸着面に吸着され、ＳＬ１コイル１４への通電が停止すると、リターンスプリング２１の反力で反鉄心コア部方向（図１の左方向）へ押し戻される。
この可動鉄心２０は、径方向の中央部に円筒孔を有する略円筒状に設けられている。
円筒孔は、可動鉄心２０の一端側（図１の左側）に開口して、他端側に底面を有している。この円筒孔には、可動鉄心２０の動きをシフトレバー１０に伝達するためのジョイント２２と、ピニオン６をエンジンのリングギヤ２３（図２参照）に噛み合わせるための反力を蓄えるドライブスプリング２４とが挿入されている。
【００２３】
ＳＬ２コイル１５は、巻枠である樹脂製のボビン２５に巻回され、鉄心プレート１７ａに対してソレノイドケース７内の他端側（反底面側）に収容される。
ＳＬ２コイル１５の内周には、鉄心コア部１７ｂの他方の吸着面（図１の右端面）に対向して軸心方向に可動する可動鉄心２６が配置される。
可動鉄心２６は、ＳＬ２コイル１５への通電によって固定鉄心１７が磁化されると、鉄心コア部１７ｂとの間に配設されるリターンスプリング２７の反力に抗して鉄心コア部１７ｂの他方の吸着面に吸着され、ＳＬ２コイル１５への通電が停止すると、リターンスプリング２７の反力で反鉄心コア部方向（図１の右方向）へ押し戻される。
【００２４】
ＳＬ２コイル１５の径方向外側と軸方向の反鉄心プレート側には、図１に示す様に、それぞれ磁気回路の一部を形成する筒状の補助ヨーク２８と円板状の磁性プレート２９が配置される。
補助ヨーク２８は、肉厚が薄く形成されたソレノイドケース７の他端側内周に挿入され、軸方向一端側の端面が、鉄心プレート１７ａの樹脂カバー側表面（図示右側の表面）に当接して、鉄心プレート１７ａに対し軸方向に位置決めされている。
磁性プレート２９は、ＳＬ２コイル１５の軸心方向に対し直交して配置され、且つ、可動鉄心２６が軸心方向へ移動できる様に、径方向の中央部に丸孔を有する円環状に形成されている。この磁性プレート２９は、ボビン２５を形成する樹脂部材にインサート成型され、板厚方向のコイル側表面が、径方向の外周部分で補助ヨーク２８の軸方向端面に当接して補助ヨーク２８に対し軸方向に位置決めされている。
【００２５】
樹脂カバー８は、円筒状の脚部８ａを有し、この脚部８ａの先端側がソレノイドケース７の他端側に開口する開口部の内周に挿入され、脚部８ａの外周面に形成された段差部にソレノイドケース７の端部をかしめることでソレノイドケース７に固定される。
この樹脂カバー８には、バッテリ１３からモータ３に電力を供給するための電源ラインに接続される２本の端子ボルト３０、３１が取り付けられている。
２本の端子ボルト３０、３１は、電源ラインの高電位側（バッテリ１３側）に接続されるＢ端子ボルト３０と、電源ラインの低電位側（モータ３側）に接続されるＭ端子ボルト３１であり、樹脂カバー８に形成される貫通孔を通って樹脂カバー８に取り付けられ、かしめワッシャ３２によって樹脂カバー８に固定されている。
【００２６】
メイン接点は、図１に示す様に、樹脂カバー８の内部に設けられる一組の固定接点３３と可動接点３４とで構成される。
一組の固定接点３３は、２本の端子ボルト３０、３１と電気的に接続され、且つ、機械的に結合されている。つまり、一組の固定接点３３と２本の端子ボルト３０、３１は、それぞれ別体に設けられ、例えば、固定接点３３に形成される円形孔に端子ボルト３０、３１の首下部を圧入して固定される。また、端子ボルト３０、３１の首下部にセレーションを形成して、そのセレーションが形成される首下部を固定接点３３の円形孔に圧入して固定することもできる。
【００２７】
２本の端子ボルト３０、３１と一組の固定接点３３は、異種金属によって形成することができる。例えば、固定接点３３を導電率の高い銅材料で形成し、２本の端子ボルト３０、３１を機械的強度が高い鉄材料で形成することができる。また、鉄材料で形成された端子ボルト３０、３１の表面に銅メッキ、または、すずメッキを施すこともできる。この場合、鉄材料が持つ機械的強度に加えて、端子ボルト３０、３１の表面に銅メッキ、または、すずメッキを施すことで導電率を高めることができる。なお、固定接点３３を端子ボルト３０、３１と一体に設けることも可能であり、例えば、端子ボルト３０、３１の頭部を固定接点３３に利用することもできる。
【００２８】
可動接点３４は、可動鉄心２６に固定された樹脂製のシャフト３５の端面に支持され、接点圧スプリング３６の荷重を受けてシャフト３５の端面に押圧されている。但し、接点圧スプリング３６の荷重は、リターンスプリング２７の荷重より小さく設定されるので、ＳＬ２コイル１５が非通電の時は、可動接点３４が接点圧スプリング３６を押し縮めた状態で、樹脂カバー８の内側端面に押し付けられている（図１に示す状態）。
上記のメイン接点は、接点圧スプリング３６に付勢された可動接点３４が一組の固定接点３３に当接して両固定接点３３が導通することにより閉成状態（オン）となり、可動接点３４が一組の固定接点３３から離れて両固定接点３３の導通が遮断されることにより開成状態（オフ）となる。
【００２９】
次に、ソレノイドＳＬ１、ＳＬ２の作動判定について図４〜図７を基に説明する。
ソレノイドＳＬ１、ＳＬ２の作動判定は、図４に示す検査装置によって行われる。
検査装置は、ＳＬ１コイル１４またはＳＬ２コイル１５に電力を供給する電源装置３７と、ＳＬ２コイル１５またはＳＬ１コイル１４に発生する電圧（誘起電圧）を測定する電圧測定器３８と、ＳＬ１コイル１４とＳＬ２コイル１５に対して電源装置３７および電圧測定器３８の接続先を切り替える切替えスイッチ３９等より構成される。
電源装置３７は、出力電力を可変する電力可変回路を備える。
電圧測定器３８は、ＳＬ１コイル１４およびＳＬ２コイル１５に発生する電圧を測定して記録する。
【００３０】
切替えスイッチ３９は、ソレノイドＳＬ１の印加端子４０に接続されるスイッチ３９ａと、ソレノイドＳＬ２の印加端子４１に接続されるスイッチ３９ｂとを有する。
スイッチ３９ａは、電源装置３７に接続される第１の接点３７ａと、電圧測定器３８に接続される第１の接点３８ａのどちらか一方と選択的に接続される。
スイッチ３９ｂは、電源装置３７に接続される第２の接点３７ｂと、電圧測定器３８に接続される第２の接点３８ｂのどちらか一方と選択的に接続される。
また、スイッチ３９ａとスイッチ３９ｂは、互いの切り替え操作を連動して行う。具体的には、スイッチ３９ａが第１の接点３７ａに接続されると、スイッチ３９ｂが第２の接点３８ｂに接続され、スイッチ３９ａが第１の接点３８ａに接続されると、スイッチ３９ｂが第２の接点３７ｂに接続される。
【００３１】
ソレノイドＳＬ１の作動判定を図５に示すフローチャートを基に説明する。
フローチャートの各処理毎に付した符号Ｓ１〜Ｓ７は、以下に説明するステップ１〜７に対応している。
ステップ１…切替えスイッチ３９を操作する。ここでは、図４に示す様に、スイッチ３９ａを第１の接点３７ａに接続し、スイッチ３９ｂを第２の接点３８ｂに接続する。
ステップ２…電源装置３７よりＳＬ１コイル１４に電力を供給する。この時、ＳＬ１コイル１４に印加する電圧（または電流）を、図６に示す様に、予め設定した最初の設定ポイント（図中Ｘ点）まで急速に上昇させる。
ステップ３…ＳＬ１コイル１４に印加する電圧（または電流）を次の設定ポイント（図中Ｙ点）まで緩やかに上昇させる。
なお、図６に示す最初の設定ポイント（図中Ｘ点）は、ソレノイドＳＬ１の設計上の作動電圧（または作動電流）より低い値であり、次の設定ポイント（図中Ｙ点）は、設計上の作動電圧（または作動電流）より高い値である。
【００３２】
ステップ４…ＳＬ１コイル１４に印加する電圧（または電流）が最初の設定ポイントから次の設定ポイントまで上昇する間、ＳＬ２コイル１５に発生する電圧を観察する。
ステップ５…ＳＬ２コイル１５に誘起電圧が発生したか否かを判定する。ＳＬ２コイル１５に誘起電圧が発生していない場合（判定結果ＮＯ）は、ステップ４に戻ってＳＬ２コイル１５の電圧を観察する。ＳＬ１コイル１４に誘起電圧が発生した場合（判定結果ＹＥＳ）は、ステップ６へ進む。
ステップ６…ＳＬ２コイル１５に誘起電圧が発生した時点のＳＬ１コイル電圧（または電流）を記録する。
ステップ７…ＳＬ１コイル１４に印加する電圧または電流を降下する。
【００３３】
上記の作動判定では、ＳＬ２コイル１５に発生する誘起電圧を検出することでソレノイドＳＬ１の作動を判定している。
具体的に説明すると、本実施例の電磁スイッチ装置１は、ソレノイドＳＬ１とソレノイドＳＬ２が軸方向に直列に配置されて、磁気回路を兼ねる共通のソレノイドケース７に収容され、且つ、ＳＬ１コイル１４とＳＬ２コイル１５との間に磁気回路の一部を共有する固定鉄心１７が配置されているため、図４に示す様に、ＳＬ１コイル１４に電力が供給されてソレノイドＳＬ１の磁気回路に磁束φ１が発生すると、ソレノイドＳＬ２の磁気回路にも磁束φ２が流れる。つまり、ＳＬ２コイル１５に磁束φ２が鎖交する。
【００３４】
ソレノイドＳＬ１の可動鉄心２０が固定鉄心１７に近づくに連れて、ソレノイドＳＬ１の磁気回路を流れる磁束φ１が増加するため、ＳＬ２コイル１５に鎖交する磁束φ２も増加する。
ＳＬ２コイル１５に鎖交する磁束φ２が変化すると、電磁誘導によりＳＬ２コイル１５に起電力が誘起される。この電磁誘導によりＳＬ２コイル１５に誘起される起電力の大きさは、ＳＬ２コイル１５に鎖交する磁束φ２の時間単位の変化量であり、磁束φ２の変化を妨げる向きに発生する。すなわち、ＳＬ２コイル１５に誘起される起電力をｅ、ある瞬間Δｔ秒間での磁束の変化量をΔφ２とすると、次式（１）が成り立つ。
ｅ＝−Δφ２／Δｔ…………………………………（１）
【００３５】
ソレノイドＳＬ１の可動鉄心２０が固定鉄心１７に吸着（当接）すると、ソレノイドＳＬ１の磁気回路を流れる磁束φ１が急激に増加して、ＳＬ２コイル１５に鎖交する磁束φ２も急激に増加するため、図６（ｂ）に示す様に、ＳＬ２コイル１５には、磁束φ２の変化に比例した起電力が誘起される。
よって、ＳＬ２コイル１５に発生する誘起電圧を検出することで、ソレノイドＳＬ１の作動を判定できる。言い換えると、ＳＬ２コイル１５に誘起電圧が発生することで、ソレノイドＳＬ１が作動していると判断できる。
以上、ソレノイドＳＬ１の作動判定について説明したが、同一の検査装置を使用してソレノイドＳＬ２の作動も判定できる。すなわち、ＳＬ２コイル１５に電力を供給してソレノイドＳＬ２の磁気回路に磁束φ２を発生させ、ソレノイドＳＬ２の可動鉄心２６が固定鉄心１７に吸着した時に、ＳＬ１コイル１４に発生する誘起電圧を検出することで、ソレノイドＳＬ２の作動を判定できる。
【００３６】
なお、ソレノイドＳＬ１の作動を判定する際に、ＳＬ２コイル１５に誘起される電圧は、ＳＬ２コイル１５の巻き数、および、作動時の電流値により異なるため、場合よっては、ＳＬ２コイル１５に誘起される電圧が微小となる場合もある。このため、ＳＬ２コイル１５に誘起される電圧を増幅して検出することが有効である。これは、ソレノイドＳＬ２の作動を判定する場合も同じである。つまり、ＳＬ１コイル１４に誘起される電圧を増幅して検出することが有効である。
【００３７】
また、ＳＬ２コイル１５に鎖交する磁束φ２は、ソレノイドＳＬ１の可動鉄心２０が固定鉄心１７に当接した瞬間に急激に変化するため、ＳＬ２コイル１５に電圧が誘起される時間は短く、図７に示す様なパルス的な電圧であることが多い。この場合、例えば、略１ｋＨｚ以上の周波数領域を通すハイパスフィルタを用いることにより、ＳＬ２コイル１５に誘起される電圧を高精度に検出することが可能となる。これは、ソレノイドＳＬ２の作動を判定する場合も同じである。つまり、ＳＬ１コイル１４に誘起される電圧をハイパスフィルタに通して検出することで、検出精度を高めることができる。
【００３８】
（実施例１の効果）
実施例１に係る電磁スイッチ装置１は、ソレノイドＳＬ１とソレノイドＳＬ２を軸方向に直列に配置して、両ソレノイドＳＬ１、ＳＬ２の磁気回路を兼ねる共通のソレノイドケース７内に収容し、且つ、ＳＬ１コイル１４とＳＬ２コイル１５との間に磁気回路の一部を共有する固定鉄心１７を配置しているので、例えば、ＳＬ１コイル１４に通電してソレノイドＳＬ１の磁気回路に磁束が発生すると、ソレノイドＳＬ２の磁気回路にも磁束が流れる。同様に、ＳＬ２コイル１５に通電してソレノイドＳＬ２の磁気回路に磁束が発生すると、ソレノイドＳＬ１の磁気回路にも磁束が流れる。
【００３９】
これにより、ＳＬ１コイル１４に通電してソレノイドＳＬ１が作動（磁化された固定鉄心１７に可動鉄心２０が吸着）すると、ソレノイドＳＬ２の磁気回路に流れる磁束量が急激に増加する。つまり、ＳＬ２コイル１５に鎖交する磁束量が急激に増加するため、その磁束量の変化に比例した電圧がＳＬ２コイル１５に誘起される。よって、ＳＬ２コイル１５に誘起される電圧を検出することでソレノイドＳＬ１の作動判定を行うことができる。同様に、ＳＬ２コイル１５に通電してソレノイドＳＬ２が作動（磁化された固定鉄心１７に可動鉄心２６が吸着）すると、ＳＬ１コイル１４に鎖交する磁束量が急激に増加してＳＬ１コイル１４に電圧が誘起されるので、そのＳＬ１コイル１４に誘起される電圧を検出することでソレノイドＳＬ２の作動判定を行うことができる。
【００４０】
上記のように、ソレノイドＳＬ１とソレノイドＳＬ２の作動判定を同様の方法（相手側コイルに誘起される電圧を検出する方法）で行うので、作動判定に使用する検査装置を共通化できる。つまり、同じ検査装置を使用してソレノイドＳＬ１とソレノイドＳＬ２の作動判定を行うことができる。その結果、検査装置の簡素化および検査時間の短縮が可能となる。
また、相手側コイル（ソレノイドＳＬ１の作動判定を行う時のＳＬ２コイル１５、ソレノイドＳＬ２の作動判定を行う時のＳＬ１コイル１４）に誘起される電圧を増幅して検出することで、Ｓ／Ｎ比を高めることができ、検出精度が向上する。
さらに、相手側コイルに誘起される電圧をハイパスフィルタに通して検出することで、電源や他設備等の低周波ノイズをカットできるので、相手側コイルに誘起される電圧を高精度に検出することが可能となる。
【００４１】
また、実施例１に記載したソレノイドＳＬ１の作動判定では、図６（ａ）に示す様に、ＳＬ１コイル１４に印加する電圧（または電流）を最初の設定ポイント（図中Ｘ点）から次の設定ポイント（図中Ｙ点）まで緩やかに上昇させているので、ソレノイドＳＬ１の可動鉄心２０が固定鉄心１７に当接する瞬間の作動電圧を精度良く検出できる。同様に、ソレノイドＳＬ２の作動判定を行う場合にも、ＳＬ１コイル１４に印加する電圧（または電流）を緩やかに上昇させることで、ソレノイドＳＬ２の可動鉄心２６が固定鉄心１７に当接する瞬間の作動電圧を精度良く検出できる。
【００４２】
（変形例）
実施例１に記載した電磁スイッチ装置１は、ソレノイドＳＬ１とソレノイドＳＬ２を軸方向に直列に配置して共通のソレノイドケース７に収容しているが、ソレノイドＳＬ１とソレノイドＳＬ２を並列に配置して共通のソレノイドケース７に収容する構成でも良い。両ソレノイドＳＬ１、ＳＬ２を並列に配置した場合でも、共通のソレノイドケース７を使用し、且つ、両ソレノイドＳＬ１、ＳＬ２の磁気回路の一部を共有することで、相手側コイルに鎖交する磁束が大きく変化して誘起電圧も大きくなるので、ソレノイドＳＬ１およびソレノイドＳＬ２の作動判定を精度良く行うことが可能である。
【符号の説明】
【００４３】
１    電磁スイッチ装置
２    スタータ
３    モータ
６    ピニオン
７    ソレノイドケース
１４    ＳＬ１コイル（第１のコイル）
１５    ＳＬ２コイル（第２のコイル）
１７    固定鉄心
２０    ソレノイドＳＬ１の可動鉄心
２３    リングギヤ
２６    ソレノイドＳＬ２の可動鉄心
３３    固定接点（接点）
３４    可動接点（接点）
ＳＬ１  ピニオン押出用ソレノイド
ＳＬ２  モータ通電用ソレノイド
【図１】
2013002381.tif 000003
【図２】
2013002381.tif 000004
【図３】
2013002381.tif 000005
【図４】
2013002381.tif 000006
【図５】
2013002381.tif 000007
【図６】
2013002381.tif 000008
【図７】
2013002381.tif 000009